(57)【要約】      （修正有）【課題】ＭＦＰを操作する際のユーザの利便性を向上する情報処理システムを提供する。【解決手段】ＭＦＰ１００と、携帯端末と、外部装置とを備える情報処理システムであって、ＭＦＰ１００は、ユーザを認証するとともに携帯端末を認証する認証部１１４と、ユーザからの入力に応じて、処理を実行する処理実行部１２４と、処理実行部１２４が外部装置の機能を用いた外部使用処理を実行する場合において、外部装置によるＭＦＰ１００に対する認証が成功した場合には、第１認証情報を該外部装置から受信する通信ＩＦ１０８と、携帯端末の認証が成功した場合に、第１認証情報と、認証部１１４によるユーザ認証が成功したことを示す第２認証情報と、外部装置の機能を用いた処理に応じた処理情報とを、認証が成功した携帯端末に送信する送信部とを有する。携帯端末は、第１認証情報と第２認証情報とに基づいて、処理情報に応じた処理を実行する。【選択図】図１０
2018085690.tif 000002
【特許請求の範囲】
【請求項１】
情報処理装置と、
前記情報処理装置と通信可能な端末装置と、
前記情報処理装置と通信可能な外部装置とを備える情報処理システムであって、
前記情報処理装置は、
ユーザを認証するユーザ認証部と、
前記端末装置を認証する装置認証部と、
ユーザからの入力に応じて、処理を実行する処理実行部と、
前記処理実行部が前記外部装置の機能を用いた処理を実行する場合において、前記外部装置による前記情報処理装置に対する認証が成功した場合には、該認証が成功したことを示す第１認証情報を該外部装置から受信する受信部と、
前記装置認証部の認証が成功した場合に、前記第１認証情報と、前記ユーザ認証部の認証が成功したことを示す第２認証情報と、前記外部装置の機能を用いた処理に応じた処理情報とを、前記装置認証部の認証が成功した前記端末装置に送信する送信部とを有し、
前記端末装置は、前記第１認証情報と前記第２認証情報とに基づいて、前記処理情報に応じた処理を実行する、情報処理システム。
【請求項２】
前記処理実行部は、前記装置認証部の認証が成功した場合に、実行していた処理を中断し、
前記送信部は、前記処理実行部が実行していた処理を中断した場合に、該中断した処理を示す中断情報を前記処理情報として送信し、
前記端末装置は、前記中断情報を受信した場合に、前記第１認証情報と前記第２認証情報とに基づいて、該中断情報により示される中断した処理の続きを実行する、請求項１記載の情報処理システム。
【請求項３】
前記処理実行部は、前記送信部が前記処理情報として前記中断情報を送信した場合において、前記装置認証部の認証が成功した場合に実行していた処理を終了する、請求項２記載の情報処理システム。
【請求項４】
前記送信部は、前記処理実行部が、前記外部装置の機能を用いた処理を実行できず、かつ前記装置認証部の認証が成功した場合に、前記第１認証情報と、前記第２認証情報と、該実行できなかった前記外部装置の機能を用いた処理に応じた処理情報とを、前記端末装置に送信する、請求項１〜３いずれか１項に記載の情報処理システム。
【請求項５】
前記処理実行部は、前記端末装置が処理を実行している途中に、前記情報処理装置と前記端末装置とのうちの少なくとも一方に対して操作が実行された場合に、該端末装置が実行していた処理を実行する、請求項１〜４いずれか１項に記載の情報処理システム。
【請求項６】
前記装置認証部は、
該装置認証部の認証が成功した場合には、該成功した認証に対応する前記端末装置と前記情報処理装置との通信を許可し、
該装置認証部の認証が成功しなかった場合には、該成功しなかった認証に対応する前記端末装置と前記情報処理装置との通信を許可しない、請求項１〜５いずれか１項に記載の情報処理システム。
【請求項７】
前記端末装置は、前記情報処理装置と前記端末装置との通信が許可されている場合において、該許可を解除するための操作を受付ける受付手段をさらに備える、請求項１〜６いずれか１項に記載の情報処理システム。
【請求項８】
外部装置および端末装置と通信可能な情報処理装置であって、
ユーザを認証するユーザ認証部と、
前記端末装置を認証する装置認証部と、
ユーザからの入力に応じて、処理を実行する処理実行部と、
前記処理実行部が前記外部装置の機能を用いた処理を実行する場合において、前記外部装置による前記情報処理装置に対する認証が成功した場合には、該認証が成功したことを示す第１認証情報を該外部装置から受信する受信部と、
前記装置認証部の認証が成功した場合に、前記第１認証情報と、前記ユーザ認証部の認証が成功したことを示す第２認証情報と、前記外部装置の機能を用いた処理に応じた処理情報とを、前記装置認証部の認証が成功した前記端末装置に送信することにより、前記第１認証情報と前記第２認証情報とに基づいて記処理情報に応じた処理を該端末装置に実行させる送信部とを有する情報処理装置。
【請求項９】
前記処理実行部は、前記装置認証部の認証が成功した場合に、実行していた処理を中断し、
前記送信部は、前記処理実行部が実行していた処理を中断した場合に、該中断した処理を示す中断情報を前記処理情報として送信することにより、前記第１認証情報と前記第２認証情報とに基づいて該中断情報により示される中断した処理の続きを該中断情報を受信した端末装置に実行させる、請求項８記載の情報処理装置。
【請求項１０】
前記処理実行部は、前記送信部が前記処理情報として前記中断情報を送信した場合において、前記装置認証部の認証が成功した場合に実行していた処理を終了する、請求項９記載の情報処理装置。
【請求項１１】
前記送信部は、前記処理実行部が、前記外部装置の機能を用いた処理を実行できず、かつ前記装置認証部の認証が成功した場合に、前記第１認証情報と、前記第２認証情報と、該実行できなかった前記外部装置の機能を用いた処理に応じた処理情報とを、前記端末装置に送信する、請求項８〜１０いずれか１項に記載の情報処理装置。
【請求項１２】
前記処理実行部は、前記端末装置が処理を実行している途中に、前記情報処理装置と前記端末装置とのうちの少なくとも一方に対して操作が実行された場合に、該端末装置が実行していた処理を実行する、請求項８〜１１いずれか１項に記載の情報処理装置。
【請求項１３】
前記装置認証部は、
該装置認証部の認証が成功した場合には、該成功した認証に対応する前記端末装置と前記情報処理装置との通信を許可し、
該装置認証部の認証が成功しなかった場合には、該成功しなかった認証に対応する前記端末装置と前記情報処理装置との通信を許可しない、請求項８〜１２いずれか１項に記載の情報処理装置。
【請求項１４】
外部装置および端末装置と通信可能な情報処理装置を用いた情報処理方法であって、
ユーザを認証するユーザ認証ステップと、
前記端末装置を認証する装置認証ステップと、
ユーザからの入力に応じて、処理を実行する処理実行ステップと、
前記処理実行ステップで前記外部装置の機能を用いた処理を実行する場合において、前記外部装置による前記情報処理装置に対する認証が成功した場合には、該認証が成功したことを示す第１認証情報を該外部装置から受信する受信ステップと、
前記装置認証ステップの認証が成功した場合に、前記第１認証情報と、前記ユーザ認証ステップの認証が成功したことを示す第２認証情報と、前記外部装置の機能を用いた処理に応じた処理情報とを、前記装置認証ステップの認証が成功した前記端末装置に送信することにより、前記第１認証情報と前記第２認証情報とに基づいて記処理情報に応じた処理を該端末装置に実行させる送信ステップとを有する情報処理方法。
【請求項１５】
外部装置および端末装置と通信可能なコンピュータを、
ユーザを認証するユーザ認証手段と、
前記端末装置を認証する装置認証手段と、
ユーザからの入力に応じて、処理を実行する処理実行手段と、
前記処理実行手段が前記外部装置の機能を用いた処理を実行する場合において、前記外部装置による前記コンピュータに対する認証が成功した場合には、該認証が成功したことを示す第１認証情報を該外部装置から受信する受信手段と、
前記装置認証手段の認証が成功した場合に、前記第１認証情報と、前記ユーザ認証手段の認証が成功したことを示す第２認証情報と、前記外部装置の機能を用いた処理に応じた処理情報とを、前記装置認証手段の認証が成功した前記端末装置に送信することにより、前記第１認証情報と前記第２認証情報とに基づいて記処理情報に応じた処理を該端末装置に実行させる送信手段として機能させるための情報処理プログラム。
【発明の詳細な説明】
【技術分野】
【０００１】
本開示は、情報処理システム、情報処理装置、情報処理方法、および情報処理プログラムに関する。
【背景技術】
【０００２】
従来から、ユーザが、携帯端末を用いて、ＭＦＰ（Multifunction Peripheral）の利便性を高める技術が提案されている。たとえば、ユーザＵ１がＭＦＰの前で操作しており、該ユーザＵ１がボタンの位置が分からず、ＭＦＰへの操作がすぐに終わらない場合などがある。このような場合において、このＭＦＰに対して緊急性を有する操作をするために別のユーザＵ２が来た場合には、ユーザＵ１の操作により、ユーザＵ１が保持する携帯端末に、操作途中のＭＦＰの画面を転送する。ユーザＵ１が保持する携帯端末に、該画面を転送することにより、ユーザＵ１は、操作を継続することが提案されている（たとえば、特許文献１）。
【先行技術文献】
【特許文献】
【０００３】
【特許文献１】特開２０１５−１７７５０３号公報
【発明の概要】
【発明が解決しようとする課題】
【０００４】
しかしながら、特許文献１記載の技術では、ユーザＵ１がＭＦＰに実行させる処理が、外部装置（たとえば、クラウド）に接続することにより実行可能な処理である場合には、ユーザＵ１は、該ユーザＵ１が保持する携帯端末を用いて、該携帯端末と外部装置との認証を行わなければならず、ユーザＵ１の利便性を向上させることができなかった。
【０００５】
本発明は、係る実情に鑑み考え出されたものであり、その目的は、ユーザの利便性を向上させる画像処理システム、画像処理装置、画像処理方法、および画像処理プログラムを提供することである。
【課題を解決するための手段】
【０００６】
ある局面に従うと、情報処理装置と、情報処理装置と通信可能な端末装置と、情報処理装置と通信可能な外部装置とを備える情報処理システムであって、情報処理装置は、ユーザを認証するユーザ認証部と、端末装置を認証する装置認証部と、ユーザからの入力に応じて、処理を実行する処理実行部と、処理実行部が外部装置の機能を用いた処理を実行する場合において、外部装置による情報処理装置に対する認証が成功した場合には、該認証が成功したことを示す第１認証情報を該外部装置から受信する受信部と、装置認証部の認証が成功した場合に、第１認証情報と、ユーザ認証部の認証が成功したことを示す第２認証情報と、外部装置の機能を用いた処理に応じた処理情報とを、装置認証部の認証が成功した端末装置に送信する送信部とを有し、端末装置は、第１認証情報と第２認証情報とに基づいて、処理情報に応じた処理を実行する。
【０００７】
好ましくは、処理実行部は、装置認証部の認証が成功した場合に、実行していた処理を中断し、送信部は、処理実行部が実行していた処理を中断した場合に、該中断した処理を示す中断情報を処理情報として送信し、端末装置は、中断情報を受信した場合に、第１認証情報と第２認証情報とに基づいて、該中断情報により示される中断した処理の続きを実行する。
【０００８】
好ましくは、処理実行部は、送信部が処理情報として中断情報を送信した場合において、装置認証部の認証が成功した場合に実行していた処理を終了する。
【０００９】
好ましくは、送信部は、処理実行部が、外部装置の機能を用いた処理を実行できず、かつ装置認証部の認証が成功した場合に、第１認証情報と、第２認証情報と、該実行できなかった外部装置の機能を用いた処理に応じた処理情報とを、端末装置に送信する。
【００１０】
好ましくは、処理実行部は、端末装置が処理を実行している途中に、情報処理装置と端末装置とのうちの少なくとも一方に対して操作が実行された場合に、該端末装置が実行していた処理を実行する。
【００１１】
好ましくは、装置認証部は、該装置認証部の認証が成功した場合には、該成功した認証に対応する端末装置と情報処理装置との通信を許可し、該装置認証部の認証が成功しなかった場合には、該成功しなかった認証に対応する端末装置と情報処理装置との通信を許可しない。
【００１２】
好ましくは、端末装置は、情報処理装置と端末装置との通信が許可されている場合において、該許可を解除するための操作を受付ける。
【００１３】
本開示のさらに他の局面に従うと、外部装置および端末装置と通信可能な情報処理装置であって、ユーザを認証するユーザ認証部と、端末装置を認証する装置認証部と、ユーザからの入力に応じて、処理を実行する処理実行部と、処理実行部が外部装置の機能を用いた処理を実行する場合において、外部装置による情報処理装置に対する認証が成功した場合には、該認証が成功したことを示す第１認証情報を該外部装置から受信する受信部と、装置認証部の認証が成功した場合に、第１認証情報と、ユーザ認証部の認証が成功したことを示す第２認証情報と、外部装置の機能を用いた処理に応じた処理情報とを、装置認証部の認証が成功した端末装置に送信することにより、第１認証情報と第２認証情報とに基づいて記処理情報に応じた処理を該端末装置に実行させる送信部とを有する。
【００１４】
好ましくは、処理実行部は、装置認証部の認証が成功した場合に、実行していた処理を中断し、送信部は、処理実行部が実行していた処理を中断した場合に、該中断した処理を示す中断情報を処理情報として送信することにより、第１認証情報と第２認証情報とに基づいて該中断情報により示される中断した処理の続きを該中断情報を受信した端末装置に実行させる。
【００１５】
好ましくは、処理実行部は、送信部が処理情報として中断情報を送信した場合において、装置認証部の認証が成功した場合に実行していた処理を終了する。
【００１６】
好ましくは、送信部は、処理実行部が、外部装置の機能を用いた処理を実行できず、かつ装置認証部の認証が成功した場合に、第１認証情報と、第２認証情報と、該実行できなかった外部装置の機能を用いた処理に応じた処理情報とを、端末装置に送信する。
【００１７】
好ましくは、処理実行部は、端末装置が処理を実行している途中に、情報処理装置と端末装置とのうちの少なくとも一方に対して操作が実行された場合に、該端末装置が実行していた処理を実行する。
【００１８】
好ましくは、装置認証部は、該装置認証部の認証が成功した場合には、該成功した認証に対応する端末装置と情報処理装置との通信を許可し、該装置認証部の認証が成功しなかった場合には、該成功しなかった認証に対応する端末装置と情報処理装置との通信を許可しない。
【００１９】
好ましくは、端末装置は、情報処理装置と端末装置との通信が許可されている場合において、該許可を解除するための操作を受付ける受付手段をさらに備える。
【００２０】
本開示のさらに他の局面に従うと、外部装置および端末装置と通信可能な情報処理装置を用いた情報処理方法であって、ユーザを認証するユーザ認証ステップと、端末装置を認証する装置認証ステップと、ユーザからの入力に応じて、処理を実行する処理実行ステップと、処理実行ステップで外部装置の機能を用いた処理を実行する場合において、外部装置による情報処理装置に対する認証が成功した場合には、該認証が成功したことを示す第１認証情報を該外部装置から受信する受信ステップと、装置認証ステップの認証が成功した場合に、第１認証情報と、ユーザ認証ステップの認証が成功したことを示す第２認証情報と、外部装置の機能を用いた処理に応じた処理情報とを、装置認証ステップの認証が成功した端末装置に送信することにより、第１認証情報と第２認証情報とに基づいて記処理情報に応じた処理を該端末装置に実行させる送信ステップとを有する。
【００２１】
本開示のさらに他の局面に従うと、外部装置および端末装置と通信可能なコンピュータを、ユーザを認証するユーザ認証手段と、端末装置を認証する装置認証手段と、ユーザからの入力に応じて、処理を実行する処理実行手段と、処理実行手段が外部装置の機能を用いた処理を実行する場合において、外部装置によるコンピュータに対する認証が成功した場合には、該認証が成功したことを示す第１認証情報を該外部装置から受信する受信手段と、装置認証手段の認証が成功した場合に、第１認証情報と、ユーザ認証手段の認証が成功したことを示す第２認証情報と、外部装置の機能を用いた処理に応じた処理情報とを、装置認証手段の認証が成功した端末装置に送信することにより、第１認証情報と第２認証情報とに基づいて記処理情報に応じた処理を該端末装置に実行させる送信手段として機能させるための情報処理プログラムを提供する。
【発明の効果】
【００２２】
本発明によれば、ユーザの利便性を向上させる画像処理システム、画像処理装置、画像処理方法、および画像処理プログラムを提供することができる。
【図面の簡単な説明】
【００２３】
【図１】画像処理システムを示す図である。
【図２】ＭＦＰのハードウェア構成を示す図である。
【図３】ＭＦＰの画面遷移と携帯端末の画面遷移とを示す図である。
【図４】ＭＦＰが表示する画面を示す図である。
【図５】ＭＦＰが表示する画面を示す図である。
【図６】ＭＦＰが表示する画面を示す図である。
【図７】携帯端末が表示する画面を示す図である。
【図８】携帯端末が表示する画面を示す図である。
【図９】携帯端末が表示する画面を示す図である。
【図１０】ＭＦＰの機能構成例を示す図である。
【図１１】外部装置の機能構成例を示す図である。
【図１２】携帯端末の機能構成例を示す図である。
【図１３】対応ＤＢを示す図である。
【図１４】画像処理システムのシーケンスを示す図である。
【図１５】画像処理システムのシーケンスを示す図である。
【図１６】画像処理システムのシーケンスを示す図である。
【図１７】画像処理システムのシーケンスを示す図である。
【発明を実施するための形態】
【００２４】
以下に、図面を参照しつつ、情報処理装置の実施の形態について説明する。以下の説明では、同一の部品および構成要素には同一の符号を付してある。それらの名称および機能も同じである。したがって、これらの説明は繰り返さない。
【００２５】
［画像処理システムについて］
図１は、本発明に係る画像処理システム１を示す図である。図１に示すように、画像処理システム１は、画像処理装置（以下、「ＭＦＰ」という。）１００と、認証装置３００と、外部装置５００と、携帯端末６００とを含む。
【００２６】
ＭＦＰ１００は、制御装置１１０と、ＩＷＳ（Internal Web Server）１２０とを含む。制御装置１１０は、主にブラウザの役割などを果たし、ＩＷＳ１２０は、外部装置５００との通信を行う役割を果たす。ＭＦＰ１００は、情報処理装置ともいう。
【００２７】
ＭＦＰ１００と外部装置５００とは、ネットワーク４００を介して互いに接続される。ネットワーク４００は、ＬＡＮ（Local Area Network）およびインターネットなどによって構成される。また、ネットワーク４００に対する接続態様は、有線接続であってもよく、或いは無線接続であってもよい。たとえば、ＭＦＰ１００はネットワーク４００に対して有線接続され、外部装置５００はネットワーク４００に対して無線接続される。外部装置５００は、クラウドまたは外部クラウドなどという場合もある。
【００２８】
ＭＦＰ１００は、外部装置５００の機能を用いない処理（以下、「外部未使用処理」という。）と、外部装置５００の機能を用いた処理（以下、「外部使用処理」という。）とを実行可能である。外部未使用処理は、たとえば、印刷処理、スキャン処理、およびＦＡＸ処理などを含む。また、外部使用処理は、ＭＦＰ１００のスキャン処理などで取り込んだ画像を外部装置５００の記憶領域に記憶させる処理（以下、「外部使用記憶処理」という。）、および外部装置５００に格納されている画像をＭＦＰ１００の印刷処理により印刷する処理（以下、「外部使用印刷処理」という。）などを含む。なお、外部使用処理、および外部使用印刷処理のうち少なくとも一方は、ほんの一例であり、ＭＦＰ１００は他の処理を実行可能とするようにしてもよい。
【００２９】
ＭＦＰ１００は、認証装置３００と接続されている。本実施形態では、ＭＦＰ１００は認証装置３００と有線で接続されているが、無線で接続するようにしてもよい。認証装置３００は、携帯端末６００の正当性を認証する。たとえば、認証装置３００の読取面（特に図示せず）に対して携帯端末６００をかざすことにより、該認証処理は開始される。また、認証装置３００は、ＭＦＰ１００と一体的に構成されるようにしてもよい。
【００３０】
携帯端末６００は、他の装置との間でのネットワーク通信が可能な情報入出力端末装置（情報処理装置）である。ここでは、携帯端末６００として、携帯式の装置（携帯端末）、より詳細には、タブレット型端末を例示する。ただし、これに限定されず、携帯端末６００は、スマートフォンであってもよく、パーソナルコンピュータなどであってもよい。また、携帯端末６００は、携帯式の装置であってもよく、据置型の装置であってもよい。また、携帯端末６００は、ＭＦＰ１００を遠隔でユーザ操作でることから、遠隔装置ということもできる。また、携帯端末６００は、端末装置ともいう。
【００３１】
なお、本実施形態では、携帯端末６００は、直接、外部装置５００に対して通信することができず、認証装置３００およびＭＦＰ１００を通じて、外部装置５００に対して通信することができる。
【００３２】
［ＭＦＰ１００などのハードウェア構成について］
図２は、ＭＦＰ１００のハードウェア構成を示すブロック図である。図２を用いて、ＭＦＰ１００の機能構成例を説明する。ＭＦＰ１００は、プログラムを実行するＣＰＵ（Central Processing Unit）１０１と、データを不揮発的に格納するＲＯＭ（Read Only Memory）１０２と、データを揮発的に格納するＲＡＭ（Random Access Memory）１０３と、フラッシュメモリ１０４と、パネル１０５と、ＭＦＰ１００のユーザによる指示の入力を受ける操作キー１０７と、通信ＩＦ（Interface）１０８と、電源ユニット１０９とを含む。
【００３３】
パネル１０５は、表示装置としてのディスプレイ１０５１と、入力装置としてのタッチパネル１０５２とにより構成される。具体的には、パネル１０５は、ディスプレイ１０５１（たとえば液晶ディスプレイ）上にタッチパネル１０５２を位置決めした上で固定することにより実現される。なお、パネル１０５においては、タッチ位置の検出方法として、たとえば抵抗膜方式または静電容量方式を用いることができる。本実施形態では、タッチパネル１０５２には、いわゆるソフトキーが表示され、操作キーはいわゆるハードキーとして機能する。
【００３４】
フラッシュメモリ１０４は、不揮発性の半導体メモリである。フラッシュメモリ１０４は、ＣＰＵ１０１が実行するオペレーティングシステムおよび各種のプログラム、各種のコンテンツおよびデータを格納している。また、フラッシュメモリ１０４は、ＭＦＰ１００が生成したデータ、ＭＦＰ１００の外部装置から取得したデータ等の各種データを揮発的に格納する。
【００３５】
また、図２の例では、ＭＦＰ１００が、ＣＰＵ１０１を１つ有するという記載になっているが、制御装置１１０と、ＩＷＳ１２０それぞれが、ＣＰＵを有する。また、図２の例では、記憶部として、ＲＯＭ，ＲＡＭ、およびフラッシュメモリが記載されている。制御装置１１０と、ＩＷＳ１２０とが、これらの記憶部のうち少なくとも１つを共有するようにしてもよいし、他の記憶部については、制御装置１１０と、ＩＷＳ１２０とが別箇に有するようにしてもよい。
【００３６】
図２の各構成要素１０１〜１０９は、相互にデータバスによって接続されている。また、ＭＦＰ１００における処理は、各ハードウェアおよびＣＰＵ１０１により実行されるソフトウェアによって実現される。このようなソフトウェアは、フラッシュメモリ１０４に予め記憶されている場合がある。また、ソフトウェアは、メモリカード１０９１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ（図示せず）その他の読取装置によりその記憶媒体から読み取られて、あるいは、通信ＩＦを介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００３７】
図２に示されるＭＦＰ１００を構成する各構成要素は、一般的なものである。したがって、本発明の本質的な部分は、フラッシュメモリ１０４、ＭＦＰに挿入されるメモリカードその他の記憶媒体に格納されたソフトウェア、あるいはネットワークを介してダウンロード可能なソフトウェアであるともいえる。なお、ＭＦＰ１００の各ハードウェアの動作は周知であるので、詳細な説明は繰り返さない。
【００３８】
なお、記憶媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記憶媒体は、当該プログラム等をコンピュータが読取可能な一時的でない媒体である。
【００３９】
ここでいうプログラムとは、ＣＰＵにより直接実行可能なプログラムだけでなく、ソースプログラム形式のプログラム、圧縮処理されたプログラム、暗号化されたプログラム等を含む。
【００４０】
また、外部装置５００、認証装置３００および携帯端末６００についても図２と同様のハードウェア構成を有する。つまり、外部装置５００、認証装置３００および携帯端末６００は、ＣＰＵ、ＲＯＭ、ＲＡＭ、および通信ＩＦなどを有する。
【００４１】
［ＭＦＰ１００が表示する画面などについて］
次に、ＭＦＰ１００が表示する画面を図３〜図９などを用いて説明する。図３は、ＭＦＰ１００および携帯端末６００における画面遷移を示す図である。図３では、その左列にＭＦＰ１００における画面遷移が示されており、その右列に携帯端末６００における画面遷移が示されている。図４〜図９は、当該画面遷移における各画面を示す図である。
【００４２】
まず、ユーザＵ１は、ＭＦＰ１００のパネル１０５に表示された認証用画面（たとえば、ログイン画面、不図示）を用いて、ログイン認証情報（ユーザＩＤおよびパスワード等）を入力する。該認証用画面での認証がユーザ認証となる。ＭＦＰ１００（図１０に示す認証部１１４）は、ユーザＵ１により入力されたログイン認証情報が正規の情報であるか否かを判定する処理（ログイン認証処理）を行う。
【００４３】
当該ログイン認証情報が正規の情報であると認証されると、メインメニュー画面（不図示）が表示される。メインメニュー画面では、外部非使用処理（外部装置５００（クラウド）の機能を用いない処理）の各処理と、外部使用処理（外部装置５００の機能を用いた処理）とが選択肢として、表示される画面である。たとえば、メインメニュー画面には、選択肢として、コピー処理のボタン、スキャン処理のボタン、ＦＡＸ処理のボタン、外部使用処理のボタンの４つが表示される。
【００４４】
なお、以下では、ＭＦＰ１００が実行可能な処理のことを「アプリケーション」という場合もあり、略して、「アプリ」という場合もある。たとえば、コピー処理については「コピーアプリ」という場合もある。また、外部使用処理については、「外部使用アプリ」といい、外部使用記憶処理については、「外部使用記憶アプリ」という場合もある。なお、ここでは、外部使用処理としてのコピー処理が実行される画面について説明する。
【００４５】
ＭＦＰ１００は、コピー処理のボタン（コピーアプリボタン）が操作されると、コピーメニュー画面２０１（図３の左列最上段および図４参照）をパネル１０５に表示する。図４は、コピーメニュー画面２０１（コピー処理に関するメニュー画面）を示す図である。このコピーメニュー画面２０１には、コピーに関する各種の詳細設定画面（「原稿画質」、「カラー」、「濃度」、「用紙」、「倍率」、「両面／ページ集約」、「仕上り」）を呼び出すための複数のボタン（呼出ボタン）３０１〜３０７が表示されている。
【００４６】
ユーザＵ１は、メインメニュー画面のうちのコピー処理を選択することにより、コピー処理（第１の処理）Ｐ１を開始する。詳細には、まず、コピー処理Ｐ１に関する各種の設定処理が行われる。
【００４７】
ユーザＵ１は、例えば、「カラー」ボタン３０２（図４）を操作して、「カラー」に関する設定内容を変更することができる。詳細には、まず、「カラー」ボタン３０２の操作に応じて、「カラー」に関する詳細設定画面２０２（図５参照）が表示される。その後、ユーザＵ１が詳細設定画面２０２（図５）内の複数のボタン３２１〜３２５のうち、「オートカラー」ボタン３２１を操作すると、ＭＦＰ１００は、設定項目「カラー」に関する設定内容を「ブラック」（変更前の設定内容）から「オートカラー」（変更後の設定内容）に変更する。なお、図５においては、初期状態にて、設定項目「カラー」に関して設定内容「ブラック」が設定されている様子が示されている。
【００４８】
同様にして、ユーザＵ１は、各種の設定項目に関する設定動作を行うことが可能である。
【００４９】
このようなコピー処理Ｐ１に関する設定操作（ユーザＵ１による設定操作）の途中で、別のユーザＵ２がＭＦＰ１００の載置場所に到来し、緊急性を有する別のコピー処理（第２の処理）を割込処理にて行いたい欲しい旨をユーザＵ１に告げるものとする。ユーザＵ１は当該割込処理の申出を承認し、ユーザＵ１は、携帯端末６００を認証装置３００にかざす。
【００５０】
このとき、ＭＦＰ１００は、パネル１０５を用いて行われているコピー処理Ｐ１が中断された旨を判定する。換言すれば、処理Ｐ１は、携帯端末６００を認証装置３００にかざすことにより中断する。また、処理Ｐ１の依頼ユーザは、中断直前の利用ユーザであることから中断ユーザとも称される。処理Ｐ１の中断後において、ユーザＵ２は、自らが希望する割込処理（第２の処理）Ｐ２をＭＦＰ１００のパネル１０５（パネル１０５等）を用いて開始する。
【００５１】
一方、ユーザＵ１は、自らの携帯端末６００を利用してＭＦＰ１００にリモート接続する。ＭＦＰ１００は、中断された場合の画像データを携帯端末６００に送信する。携帯端末６００は、当該画像データを受信すると、当該画像データに基づく画面５０３を表示部６０６（図１２参照）に表示する（図３の右列のうちの最上段参照）。図７は、このような画面５０３を示す図である。図７に示すように、処理Ｐ１の中断の際にコピーメニュー画面２０１（２０３）が表示されていたことに対応して、当該メニュー画面２０３と同じ内容の画面５０３が表示部６０６に表示される。これによれば、処理Ｐ１の画面遷移に関して、当該処理Ｐ１の中断前後の継続性を担保できる。
【００５２】
また、図７の画面５０３においては、設定項目「カラー」に関する設定内容が「オートカラー」であることが示されている。具体的には、設定項目「カラー」に関する設定用画面（設定項目「カラー」を含む設定用画面）であって変更後の設定内容（「オートカラー」）が反映された状態の設定用画面（メニュー画面）の表示用データが生成されて携帯端末６００に送信される。携帯端末６００は、ＭＦＰ１００から受信した表示用データ（たとえば、後述するＵＲＬ）に基づき、変更後の設定内容（「オートカラー」）が反映された状態で設定用画面を表示する。これによれば、ユーザＵ１は、中断時点までの自らの設定操作による設定内容が現在の設定内容に反映されていることを確認することができる。
【００５３】
ユーザＵ１は、携帯端末６００の表示部６０６に表示された画面５０３（図７）を用いて、さらに処理Ｐ１に関する詳細設定処理を進めることができる。
【００５４】
たとえば、設定項目「両面／ページ集約」に関する詳細設定画面の呼出ボタン（画面５０３内の呼出ボタン）３０６が操作されると、図８に示すような詳細設定画面（設定項目「両面／ページ集約」に関する詳細設定画面）５０６が表示部６０６に表示される。
【００５５】
詳細には、まず、表示部６０６に関するタッチイベントが携帯端末６００によって検出され、当該タッチイベントに関する情報が携帯端末６００からＭＦＰ１００に送信される。具体的には、設定項目「両面／ページ集約」に関する詳細設定画面の呼出ボタン３０６が操作されタッチイベントが検出されると、当該タッチイベントの検出位置（操作位置）の位置情報（座標情報）が操作入力情報としてＭＦＰ１００に送信される。
【００５６】
ＭＦＰ１００は、当該タッチイベントの位置情報を受信すると、当該タッチイベントに対する応答動作を実行する。
【００５７】
具体的には、まず、当該位置情報に基づき、いずれのボタンが操作されたかが判定される。たとえば、当該位置情報にて示される操作位置が設定項目「両面／ページ集約」の詳細設定画面の呼出ボタン３０６（図７）内の位置であることが判定されると、当該呼出ボタン３０６が操作された旨が判定される。
【００５８】
また、画面２０３は、携帯端末６００の種別に応じた画角に適式に変換されて、該携帯端末６００において画面５０３が表示される。これにより、ＭＦＰ１００で表示される画面を、携帯端末６００においても適式に表示させることができ、ユーザの利便性を向上させることができる。
【００５９】
その後、ＭＦＰ１００は、当該呼出ボタン３０６の操作（遠隔操作）に応じた次画面５０６（図８参照）のデータ（たとえば、以下に示す画面のＵＲＬ）を取得し、該取得した画面データを携帯端末６００に送信する。携帯端末６００は、図８に示すような画面５０６を、当該画像データに基づいて表示部６０６に表示させる。
【００６０】
さらに、同様にして、当該画面５０６（図８）を用いて、設定項目「両面／ページ集約」に関する設定内容が変更され得る。当該画面５０６内には、当該設定項目に関する設定を行うためのボタン３６１〜３６４，３７１〜３７４等が設けられている。
【００６１】
たとえば、次のようにして、設定項目「両面／ページ集約」は、従前の設定内容（「片面から片面」且つ「ぺージ集約しない」）から、新たな設定内容（「両面から両面」且つ「ぺージ集約しない」）に変更される。
【００６２】
詳細には、まず、表示部６０６内のタッチイベントが携帯端末６００によって検出され、当該タッチイベントに関する情報が携帯端末６００からＭＦＰ１００に送信される。具体的には、設定項目「両面／ページ集約」に関する詳細設定画面内のボタン３６４（「両面から両面」）が操作されタッチイベントが検出されると、当該タッチイベントの検出位置（操作位置）の位置情報（座標情報）が操作入力情報としてＭＦＰ１００に送信される。
【００６３】
ＭＦＰ１００は、当該タッチイベントの位置情報を受信すると、当該タッチイベントに対する応答動作を実行する。
【００６４】
具体的には、当該位置情報にて示される操作位置がボタン３６４内の位置であることが判定され、当該ボタン３６４が操作された旨が判定される。また、この場合には、設定情報に対する変更操作である旨が判定され、設定情報が更新され、更新された設定情報が記憶部１２２（図１０参照）に格納される。具体的には、設定項目「両面／ページ集約」に関して、新たな設定内容（「両面から両面」且つ「ぺージ集約しない」）が格納される。
【００６５】
また、携帯端末６００を用いて変更された設定内容（新たな設定内容）も記憶部１２２に格納される。具体的には、記憶部１２２に予め格納されていた中断情報に規定されていた設定内容と携帯端末６００を用いて変更された設定内容とを含む設定情報が更新後の設定情報として格納される。換言すれば、記憶部１２２に予め格納されていた中断情報に規定されていた設定内容が、携帯端末６００を用いて変更された設定内容によって更新され、当該更新された設定情報が記憶部１２２に格納される。このように、中段情報は、画面の表示が進むにつれて、更新される。また、中段情報は、処理情報ともいう。
【００６６】
当該ボタン３６４の操作（遠隔操作）に応じた次画面が決定される。ここでは、画面５０６におけるボタン３６４が選択状態に変更された画面（ボタン３６１に代えてボタン３６４が極太線で囲まれた画面）５０７（不図示）が「次画面」として取得される。
【００６７】
その後、当該次画面５０７の画像データが取得され、当該次画面５０７の画像データがＭＦＰ１００から携帯端末６００に送信される。その後、当該次画面５０７が表示部６０６に表示される。なお、この次画面５０７においては、ボタン３６４が選択状態に変更されて表示される。
【００６８】
このようにして、ＭＦＰ１００は、パネル１０５を用いたユーザＵ１による処理Ｐ１の中断後において、表示部６０６を用いた遠隔操作で、当該ユーザＵ１による処理Ｐ１を継続して実行する。換言すれば、処理Ｐ１の中断後においても、ユーザＵ１は、携帯端末６００の表示部６０６を用いることによって、処理Ｐ１を引き続いて実行することが可能である。
【００６９】
また、ユーザＵ２は、ＭＦＰ１００のパネル１０５を用いることによって、割込処理Ｐ２を実行することが可能である。換言すれば、ＭＦＰ１００は、パネル１０５を用いたユーザＵ１による処理Ｐ１の中断後において、別のユーザＵ２による割込処理Ｐ２をパネル１０５を用いて受け付け、当該割込処理Ｐ２を実行する。
【００７０】
このように、処理Ｐ１の中断後において、パネル１０５を用いた操作に基づくユーザＵ２による割込処理Ｐ２と表示部６０６を用いた遠隔操作に基づくユーザＵ１による処理Ｐ１とが並行して実行される。
【００７１】
その後、ユーザＵ２による割込処理Ｐ２の終了に応じて、携帯端末６００を認証装置３００にかざすと、ＭＦＰ１００は、ユーザＵ２による割込処理Ｐ２が終了した旨を判定する。ＭＦＰ１００は、リモート接続の終了指令（換言すれば、操作切替指令）を携帯端末６００に対して送信する。
【００７２】
携帯端末６００は、当該終了指令（操作切替指令）を受信すると、リモート接続の終了処理を行う。これにより、表示部６０６を用いたユーザＵ１によるリモート操作が完了する。
【００７３】
また、ＭＦＰ１００（処理制御部１６等）は、表示部６０６を用いたユーザＵ１によるリモート操作終了後において、割込処理Ｐ２に代えて、割込処理Ｐ２に割り込まれた元の処理Ｐ１を再び実行する（図１７のＳ１１０参照）。換言すれば、ユーザＵ１は、ＭＦＰ１００のパネル１０５（パネル１０５等）を用いて、処理Ｐ１を継続して実行する。
【００７４】
また、図７に示す画面では、解除ボタン３０８が表示されている。ユーザにより、該解除ボタン３０８が操作された場合には、携帯端末６００での該操作画面の表示は終了する。これとともに、ＭＦＰ１００と携帯端末６００との間で許可されていた通信は非許可となる。
【００７５】
このように、図３〜図９で説明した処理を実行すれば、ユーザＵ１による処理を継続させつつも、ユーザＵ２は緊急性を有する処理をＭＦＰ１００に対して実行させることができる。
【００７６】
なお、処理Ｐ１は、コピー処理以外の処理（たとえば、スキャン処理、ファクシミリ送信処理、ボックスプリント処理など）であってもよい。また、処理Ｐ１は、外部使用処理、たとえば、外部使用印刷処理であってもよい。
【００７７】
［ＭＦＰ１００の機能構成例について］
次に、図１０を用いて、ＭＦＰ１００の機能構成例を説明する。図１に示したように、ＭＦＰ１００は、制御装置１１０と、ＩＷＳ１２０とを含む。制御装置１１０のＣＰＵは、パネル制御部１１２の機能と、認証部１１４の機能と、判断部１１６の機能とを有する。また、ＩＷＳ１２０のＣＰＵは、処理実行部１２４の機能と、通信ＩＤ生成部１２６の機能とを有する。ＩＷＳ１２０に含まれる記憶部１２２は、本実施形態では、ＲＡＭ１０３をいう。
【００７８】
ユーザは、ＭＦＰ１００に処理を実行させる（ＭＦＰ１００を使用する）場合には、ＭＦＰ１００の認証部１１４により実行されるユーザ認証に成功する必要がある。該ユーザ認証が成功した場合には、パネル制御部１１２は、パネル１０５に対してパネル制御信号を送信することにより、メインメニュー画面を表示させる。その他、パネル制御部１１２は、必要に応じて、パネル制御信号をパネル１０５に対して送信することによい、該パネル制御信号に応じた画面をパネル１０５に表示させる。
【００７９】
ユーザが、パネル１０５に表示されたメインメニュー画面に含まれる選択肢のうち、所望の選択肢を選択すると（たとえば、タッチすると）、該選択された選択肢を特定可能な選択信号が、パネル１０５から処理実行部１２４に対して送信される。処理実行部１２４は、受信した選択信号に応じた処理を実行する。たとえば、選択信号が、コピー処理が選択されたことを特定する信号である場合には、処理実行部１２４は、コピー処理を実行するように、ＭＦＰ１００のハードウェアなどを制御する。このように、処理実行部１２４は、ユーザからのパネル１０５に対する入力に応じて、処理を実行する。
【００８０】
また、ユーザが、ＭＦＰ１００に外部使用処理を実行させる場合には、外部装置５００は、ＭＦＰ１００の正当性を判断するための認証処理を実行する。たとえば、ユーザにより、外部使用記憶アプリが選択された場合には、ＭＦＰ１００は、該ＭＦＰ１００を識別するための情報であるＭＦＰＩＤ（図１４のＳ１０など参照）を、外部装置５００に対して送信する。外部装置５００が、ＭＦＰＩＤを受信すると、認証部５５２（図１１参照）が、ＭＦＰＩＤを用いて、ＭＦＰ１００を認証する。該認証の処理を第１認証処理ともいう。第１認証処理は、外部装置５００による１のＭＦＰ１００への認証を行うものであり、該第１認証処理において、認証成功した場合には、ＭＦＰ１００は、外部装置５００が提供する全てのアプリ（外部装置５００の機能を用いた全てのアプリ）を実行することができる。
【００８１】
また、該認証については、様々な手法がある。該認証の一例として、たとえば、外部装置５００は、正当性のあるＭＦＰを識別するＭＦＰＩＤをデータベースとして予め保持している。認証部５５２は、受信したＭＦＰＩＤが、ＭＦＰＩＤデータベース（図示せず）に含まれるか否かを判断する。認証部５５２は、受信したＭＦＰＩＤが、ＭＦＰＩＤデータベースに含まれていると判断した場合には、認証部５５２は、ＭＦＰは正当性があるとして、認証処理が成功したと判断する。一方、認証部５５２は、受信したＭＦＰＩＤが、ＭＦＰＩＤデータベースに含まれていないと判断した場合には、認証部５５２は、ＭＦＰは正当性がないとして、認証処理が失敗したと判断する。認証部５５２が、該認証に成功したと判断した場合には、該認証が成功したことを示す認証成功情報をＭＦＰ１００に対して送信する。認証成功情報は、ＭＦＰ１００に対する外部装置５００の認証が成功したことを示す情報である。また、この認証成功情報を、第１認証情報ともいう。ＭＦＰ１００は、第１認証情報を受信することにより、ＭＦＰ１００に対する外部装置５００の認証が成功したことを認識できる。一方、認証部５５２が、該認証に失敗したと判断した場合には、該認証が失敗したことを示す認証失敗情報をＭＦＰ１００に対して送信する。ＭＦＰ１００は、認証失敗情報を受信することにより、ＭＦＰ１００に対する外部装置５００の認証が失敗したことを認識できる。
【００８２】
また、各アプリにおいて表示される画面それぞれには、ＵＲＬ（Uniform Resource Locator）がそれぞれ対応付けられている。たとえば、コピーアプリが実行される際に表示され得る全ての画面それぞれにＵＲＬが対応付けられている。
【００８３】
図１０に示す通信ＩＦ１０８は、外部装置５００からの第１認証情報を受信すると、該第１認証情報は、ＩＷＳ１２０は、該第１認証情報を記憶部１２２に記憶させる。
【００８４】
また、認証部１１４は、第２認証処理として、ユーザ認証を行う。認証部１１４は、パネル１０５から入力されたユーザＩＤを受信する。認証部１１４は、該受信したユーザＩＤを用いて、ユーザ認証を行う。ユーザ認証により入力されたログイン認証情報が正当であれば、パネル１０５に「認証しました」という文字を表示するとともに、認証部１１４は、ユーザ認証が成功したとして、ＭＦＰ１００の処理を該ユーザに対して許可する（ユーザは、ＭＦＰ１００に処理を実行させることができる）。また、該ログイン認証情報が正当でなければ、パネル１０５に「認証できませんでした」という文字を表示するとともに、認証部１１４は、ユーザ認証が失敗したとして、ＭＦＰ１００の処理を該ユーザに対して許可しない（ユーザは、ＭＦＰ１００に処理を実行させない）。また、第２認証処理において該認証が成功したことを示す認証成功情報をＩＷＳ１２０に対して送信する。認証成功情報は、ＭＦＰ１００のユーザ認証が成功したことを示す情報である。また、この認証成功情報を、第２認証情報ともいう。
【００８５】
また、携帯端末６００を、認証装置３００の読取面にかざすことにより、該携帯端末６００の端末ＩＤは、ＭＦＰ１００に送信される。認証部１１４は、該端末ＩＤを用いて、携帯端末６００を認証する。該認証については、様々な手法がある。該認証の一例として、たとえば、制御装置１１０は、正当性のある携帯端末を識別する端末ＩＤをデータベースとして予め保持している。端末ＩＤはたとえば、携帯端末の電話番号としてもよいし、メールアドレスとしてもよい。
【００８６】
認証部１１４は、受信した端末ＩＤが、端末ＩＤデータベース（図示せず）に含まれるか否かを判断する。認証部１１４は、受信した端末ＩＤが、端末ＩＤデータベースに含まれていると判断した場合には、認証部１１４は、携帯端末は正当性があるとして、認証処理が成功したと判断する。一方、認証部１１４は、受信した端末ＩＤが、端末ＩＤデータベースに含まれていないと判断した場合には、認証部１１４は、携帯端末は正当性がないとして、認証処理が失敗したと判断する。認証部１１４が、該認証に成功したと判断した場合には、該認証が成功したことを示す認証成功情報をＩＷＳ１２０に対して送信する。認証成功情報は、携帯端末６００に対するＭＦＰ１００の認証が成功したことを示す情報である。また、この認証成功情報を、第３認証情報ともいう。ＩＷＳ１２０は、第３認証情報を受信することにより、携帯端末６００に対するＭＦＰ１００の認証が成功したことを認識できる。第３認証情報は、記憶部１２２に記憶される。一方、認証部１１４が、該認証に失敗したと判断した場合には、該認証が失敗したことを示す認証失敗情報をＩＷＳ１２０に対して送信する。ＩＷＳ１２０は、認証失敗情報を受信することにより、携帯端末６００に対するＭＦＰ１００の認証が失敗したことを認識できる。
【００８７】
このように、認証部１１４は、ユーザ認証するユーザ認証部の機能と、携帯端末６００を認証する装置認証部の機能とを有する。なお、制御装置１１０は、認証部１１４として、ユーザ認証部と、装置認証部とを分けて備えるようにしてもよい。
【００８８】
また、本実施形態では、図３〜図９でも説明したように、ユーザは、ＭＦＰ１００に対する各種の操作（ＭＦＯ１００が実行可能な処理）を携帯端末６００を用いて行うことが可能である。つまり、ＭＦＰ１００と携帯端末６００との間で、情報のやり取りを繰返す。通信ＩＤ生成部１２６は、該情報のやり取りを認識可能な通信ＩＤを生成する。生成された通信ＩＤは、記憶部１２２に記憶される。判断部１１６は、第２認証情報と、端末ＩＤの双方が正しいか否かを判断する。
【００８９】
［外部装置５００の機能構成例について］
次に、図１１を用いて、外部装置５００の機能構成例を説明する。外部装置５００は、認証部５５２の機能と処理実行部５２４の機能と、通信ＩＦ５０６の機能とを有する。前述したように、認証部５５２は、第１認証処理を実行する。また、該第１認証処理が成功した場合には、認証部５５２は、ＭＦＰ１００に対して、通信ＩＦ５０６を経由して、第１認証情報を送信する。また、記憶部５２６は、たとえば、処理実行部５２４が用いる情報や処理する情報を記憶する。たとえば、処理実行部５２４は、外部使用記憶処理（ＭＦＰ１００のスキャン処理などで取り込んだ画像を外部装置５００の記憶領域に記憶させる処理）の実行により、記憶対象の情報（ＭＦＰ１００のスキャン処理などで取り込んだ画像など）を記憶部５２６に記憶させる。また、処理実行部５２４は、通信ＩＦ５０６を経由して、ＭＦＰ１００からのアプリ要求信号を受信する。処理実行部５２４は、アプリ要求信号を受信したときに、該アプリ要求信号に応じた処理を実行する。
【００９０】
［携帯端末６００の機能構成例について］
次に、図１２を用いて、携帯端末６００の機能構成例を説明する。携帯端末６００は、操作部６０２の機能と、制御部６０８の機能と、通信制御部６１０の機能と、通信ＩＦ６１２の機能と、記憶部６１４の機能とを有する。本実施形態では、操作部６０２は、操作入力部６０４と表示部６０６とを含む。つまり、操作部６０２はタッチパネルとして機能する。たとえば、制御部６０８は、操作入力部６０４からのユーザによる入力に応じたアクセス信号を生成する。換言すると、該アクセス信号は、該ユーザによりＭＦＰ１００に対して実行させる処理の内容に応じた信号ともいえる。
【００９１】
携帯端末６００の表示部６０６が、ＭＦＰ１００の操作画面として、図７の画面を表示している場合において、たとえば、倍率ボタン３０５に対する入力を受付けた場合には、該受付けた入力に応じたアクセス信号をＭＦＰ１００に対して送信する。ＭＦＰ１００の処理実行部１２４は、該アクセス信号を受信すると、該アクセス信号から特定される処理の内容（倍率）を認識できる。
【００９２】
［対応ＤＢについて］
次に、図１３を用いて対応ＤＢ（database）について説明する。図１３は、対応ＤＢの一例を示したものである。図１３の対応ＤＢは、記憶部１２２（図１０参照）に記憶されている。対応ＤＢは、ユーザＩＤごとに、端末ＩＤ、第１認証情報、第２認証情報、通信ＩＤ、中断情報などが記憶されるＤＢである。ユーザＩＤは、ユーザ認証の際に入力されるログイン情報に含まれるものである。端末ＩＤは、携帯端末６００を識別するための情報である。また、端末ＩＤは、ユーザＩＤと予め対応づけられるように規定されている。たとえば、ユーザ認証の際に入力されるユーザＩＤと、端末ＩＤとが同一であるようにすればよい。ユーザＩＤと、端末ＩＤともに、携帯端末６００の電話番号またはメールアドレスとすればよい。端末ＩＤは、装置認証部による認証処理が成功した場合に、該ユーザＩＤに対応付けられて記憶される。
【００９３】
第１認証情報は、ＭＦＰ１００に対する外部装置５００の認証が成功したことを示す情報である。第２認証情報は、ＭＦＰ１００のユーザ認証が成功したことを示す情報である。通信ＩＤは、携帯端末６００が操作画面を引継いだ後に、該携帯端末６００とＭＦＰとの間で実行される通信（セッション）を識別するためのＩＤである。中断情報は、中断されたジョブにおいて、該中断の際に表示されていた画面に関する情報（たとえば、該画面のＵＲＬ）と、該中断の際に設定されていた設定情報（たとえば、実行されていたアプリの種別、コピー部数）などを含む情報である。また、中段情報は、ユーザによる携帯端末６００からＭＦＰ１００への操作に応じて更新される。たとえば、中段情報のうちの設定情報として、オートカラーが設定されている場合において、携帯端末６００によりモノクロに変更された場合には、該設定情報は、オートカラーからモノクロに変更される。また、中段情報として、表示されていた第１画面のＵＲＬである「ＰＰＰ」が記憶されている場合において、携帯端末６００により第２画面に切替えられた場合には、該第２画面のＵＲＬである「ＱＱＱ」に更新される。なお、該中断情報としてのＵＲＬは、携帯端末６００により画面が切替えられたとしても、該ＵＲＬは変更しないようにしてもよい。
【００９４】
図１０に示すように、記憶部１２２は、通信ＩＤを経由して、外部装置５００から送信された第１認証情報と、認証部１１４から送信された第２認証情報と、通信ＩＤ生成部１２６が生成した通信ＩＤとを、端末ＩＤごとに記憶させる。図１３の例では、たとえば、「ａ」のユーザＩＤに対応付けて、「ααα」の端末ＩＤ、第１認証情報「ＸＡ」，第２認証情報「ＹＡ」、通信ＩＤ「ＩＤＡ」、中断情報「ＺＡ」が記憶される。
【００９５】
また、図１０の例では、ユーザ認証処理が実行されたときに、ユーザＩＤが取得され、その後、該ユーザＩＤについて、第１認証情報などが取得される度、該ユーザＩＤに対応付けて記憶される。たとえば、「ａ」のユーザＩＤが取得されたときにおいて、該ユーザＩＤによるユーザが、外部使用処理をＭＦＰ１００に実行させるときにおいて、該外部使用処理についての第１認証情報が取得されたときに、「ａ」のユーザＩＤに対応付けて第１認証情報が記憶される。
【００９６】
［処理の流れ］
次に、画像処理システム１の処理の流れについて説明する。図１４〜図１６は、画像処理システム１の処理の流れを示したものである。また、ユーザＵ１がＭＦＰ１００に対して実行させようとしている処理が、外部使用処理である場合と、外部未使用処理である場合との双方について説明する。
【００９７】
図１４のＳ１に示すように、制御装置１１０の認証部１１４は、ユーザＵ１に対して、ユーザ認証を行う。次に、Ｓ１でのユーザ認証が成功した場合には、該ユーザ認証により取得したユーザＩＤと、第２認証情報とをＩＷＳ１２０に対して送信する。ＩＷＳ１２０は、該ユーザＩＤと該第２認証情報とを対応付けて記憶部１２２に記憶させる。
【００９８】
また、ユーザ認証が成功した場合には、ＭＦＰ１００のパネル制御部１１２は、メニュー画面をパネル１０５に表示する。ユーザＵ１がＭＦＰ１００に実行させたいアプリ（処理）を、該メニュー画面から選択することにより、Ｓ２のアプリ起動操作が受付けられる。
【００９９】
制御装置１１０が、アプリ起動操作を受付けると、Ｓ４において、制御装置１１０は、ＩＷＳ１２０に対してＩＷＳ起動要求信号を送信する。該ＩＷＳ起動要求信号は、Ｓ２で起動要求が受付けられたアプリの種別を特定可能な信号でもある。
【０１００】
Ｓ６において、ＩＷＳ１２０が、ＩＷＳ起動要求信号を受信すると、ＩＷＳ１２０は起動する。次に、Ｓ８において、ＩＷＳ１２０は、該受信したＩＷＳ起動要求信号から特定されるアプリ（起動されたアプリ）が、外部使用アプリであるか否かを判断する。この外部使用アプリであるか否かの判断は、たとえば、ＩＷＳ起動要求信号から特定されるアプリについて、外部使用アプリであるか否かを特定可能な情報（フラグ）を付加しておき、該情報に基づいて、実行される。
【０１０１】
Ｓ８において、外部使用アプリであると判断された場合には（Ｓ８のＹＥＳ）、Ｓ１０において、ＩＷＳ１２０は、ＭＦＰＩＤを外部装置５００に対して送信する。Ｓ１２において、外部装置５００は、第１認証処理（ＭＦＰＩＤを用いて、ＭＦＰを認証する処理）を実行する。
【０１０２】
Ｓ１２の第１認証処理が成功した場合には、Ｓ１４において、外部装置５００は、第１認証が成功した旨を示す第１認証情報をＩＷＳ１２０に対して送信する。ＩＷＳ１２０は、該第１認証情報を受信した場合には、ＭＦＰ１００のパネル１０５に、外部装置５００による認証が成功した旨の文字を表示する。
【０１０３】
Ｓ１６において、ＩＷＳ１２０は、第１認証情報を記憶部１２２に記憶させる。また、ＩＷＳ１２０は、該記憶については、Ｓ１でのユーザ認証により取得したユーザＩＤと対応付けて第１認証情報を記憶する（図１３参照）。
【０１０４】
なお、特に図示しないが、第１認証処理が失敗した場合（ＭＦＰ５００の正当性が判断できなかった場合）には、外部装置５００は、ＩＷＳ１２０に対してエラー信号を送信する。ＩＷＳ１２０は、エラー信号を受信した場合には、ＭＦＰ１００のパネル１０５に、外部装置５００による認証が失敗した旨の文字を表示する。
【０１０５】
ＩＷＳ１２０は、Ｓ２０において、ＩＷＳ１２０は、アプリ画面表示要求を制御装置１１０に対して行う（アプリ画面表示要求信号を制御装置１１０に対して送信する）。たとえば、ユーザＵ１によりコピー色選択ボタンが操作された場合には、コピー色選択画面の表示を要求するためのアプリ画面表示要求信号をＩＷＳ１２０は、制御装置１１０に対して送信する。
【０１０６】
Ｓ２２において、制御装置１１０は、アプリ画面表示要求信号を受信したときには、パネル制御部１１２が、パネル制御信号をパネル１０５に送信することにより、アプリ画面表示要求信号に応じた画面を該パネル１０５に表示させる。
【０１０７】
Ｓ１〜Ｓ２２までの処理が、図３の画面２０１〜２０３が表示されている場合に実行される処理である。ここで、緊急性を有する処理をＭＦＰ１００に実行させたい別のユーザＵ２がＭＦＰ１００の載置場所に到来したとする。Ｓ２３においては、ユーザＵ１は、自分の携帯端末６００を認証装置３００の読取面にかざすことにより、携帯端末６００の制御部６０８は、通信ＩＦ６１２を経由して、該携帯端末６００の端末ＩＤを認証装置３００に送信する。
【０１０８】
Ｓ２４において、認証装置３００は、携帯端末６００から送信された端末ＩＤを用いて該携帯端末６００を認証する（第３認証処理を実行する）。なお、特に図示しないが、第３認証処理が失敗した場合（携帯端末６００の正当性が判断できなかった場合）には、認証装置３００は、携帯端末６００に対してエラー信号を送信する。携帯端末６００は、エラー信号を受信した場合には、携帯端末６００の表示部６０６に、第３認証処理が失敗した旨の文字を表示する。また、携帯端末６００は、エラー信号を受信したときには、ログイン画面を表示するようにしてもよい。
【０１０９】
Ｓ２４の第３認証処理が成功した場合には、Ｓ２６において、認証装置３００は、第３認証が成功した旨を示す第３認証情報を携帯端末６００および制御装置１１０に対して送信する。Ｓ２７において、携帯端末６００は、該第３認証情報を受信した場合には、携帯端末６００の表示部６０６に、認証装置３００による認証が成功した旨の文字を表示する。
【０１１０】
また、Ｓ２６では、Ｓ２４の第３認証処理で用いた端末ＩＤをＭＦＰ１００に対して送信する。ＩＷＳ１２０は、該端末ＩＤを、該端末ＩＤと対応するユーザＩＤに対応付けて対応ＤＢに記憶させる。
【０１１１】
Ｓ２８において、制御装置１１０の判断部１１６は、予め定められた中断条件が成立したか否かを判断する。ここで、予め定められた中断条件は、制御装置１１０は、認証装置３００からの第３認証情報を受信することにより成立する条件である。つまり、中断条件は、携帯端末６００が、認証装置３００の読取面に対向され、該対向されたことにより実行される第３認証処理で成功することにより成立する条件である。
【０１１２】
Ｓ２８でＮＯと判断されたときには、Ｓ２２に戻る。つまり、Ｓ２８において、中断条件が成立するまで、Ｓ２２の処理が繰り返される。一方、Ｓ２８において、ＹＥＳと判断されたときには、Ｓ２９は、制御装置１１０は、該中断条件が発生した場合の中断情報を記憶部１２２に記憶させる。また、中断情報は、Ｓ１でのユーザ認証で取得されたユーザＩＤに対応付けられて記憶される（図１０参照）。その後、Ｓ３０において、制御装置１１０は、第２認証情報をＩＷＳ１２０に対して送信する。
【０１１３】
Ｓ３２においては、ＩＷＳ１２０は、制御装置１１０からの第２認証情報を受信したか否かを判断する。ここで、Ｓ３２において、ＩＷＳ１２０が該第２認証情報を受信したと判断することにより、該ＩＷＳ１２０は、中断条件が成立したことを間接的に認識できる。また、Ｓ３２において、ＮＯと判断された場合には、Ｓ２０の処理まで戻る。このように、Ｓ３２において、ＹＥＳと判断されるまで、Ｓ２０の処理が繰り返される。
【０１１４】
次に、Ｓ３４において、ＩＷＳ１２０は、Ｓ２０でＹＥＳと判断された第２認証情報を取得する。さらに、Ｓ３４においては、通信ＩＤ生成部１２６は、ＭＦＰ１００と携帯端末６００との通信を識別する通信ＩＤを生成する。該生成された通信ＩＤは、記憶部１２２に、ユーザＩＤと対応付けられて記憶される（図１３参照）。
【０１１５】
次に、Ｓ３６において、ＩＷＳ１２０は、記憶部１２２に第１認証情報が記憶されているか否かを判断する。ここで、第１認証情報が記憶されている（Ｓ３６でＹＥＳ）ということは、表示が中断された処理が外部使用処理であることを示し、第１認証情報が記憶されていない（Ｓ３６でＮＯ）ということは、表示が中断された処理が外部未使用処理であることを示す。
【０１１６】
Ｓ３６でＹＥＳと判断された場合には、Ｓ３８に進み、Ｓ３６でＮＯと判断された場合には、Ｓ４０に進む。Ｓ３８では、ＩＷＳ１２０は、表示中画面のＵＲＬと、第１認証情報と、第２認証情報と、通信ＩＤとを中断情報として制御装置１１０に送信する。ここで、表示中画面とは、表示（実行）が中断されたアプリ（処理）の画面をいう。該中断は、Ｓ２８で成立したと判断された中段条件に対応する中段である。たとえば、コピーアプリが実行されており、該コピーアプリで表示される画面が、図６に示す画面である場合には、表示中画面のＵＲＬとして、図６の画面のＵＲＬが送信される。また、Ｓ４０においては、ＩＷＳ１２０は、表示中画面のＵＲＬと、第２認証情報と、通信ＩＤとを中断情報として制御装置１１０に送信する。
【０１１７】
Ｓ４２は、制御装置１１０は、Ｓ３８またはＳ４０において送信された中断情報を受信する。Ｓ４４においては、制御装置１１０は、携帯端末６００に対して、中断情報を送信する。ここで、中段情報が送信される携帯端末６００は、第３認証処理（Ｓ２４）が成功した携帯端末６００である。Ｓ４６は、携帯端末６００は、中断情報を受信する。また、Ｓ４４の処理終了後、制御装置１１０は、表示していた画面（つまり、ユーザＵ１による実行途中の画面）をリセットすることにより、初期の画面（本実施形態では、メニュー画面）を表示する。このように、制御装置１１０は、通信ＩＦが中断情報を送信した場合において、認証部１１４の認証（携帯端末６００への認証）が成功した場合に実行していた処理を終了する（表示していた画面をリセットする）。
【０１１８】
Ｓ５０において、携帯端末６００は、Ｓ４６で受信した中断情報のうち、第１認証情報が該中断情報に含まれていれば第１認証情報と、第２認証情報と、通信ＩＤを付けて、表示中画面のＵＲＬにアクセスする（図１２に示すようにＭＦＰ１００に対してアクセス信号を送信する）。このように、携帯端末６００は、第１認証情報と、第２認証情報とに基づいて、表示中画面のＵＲＬを、ＭＦＰ１００に対して要求する。
【０１１９】
なお、Ｓ５０において、第１認証情報が該中断情報に含まれていなければ、携帯端末６００は、第２認証情報と、通信ＩＤを付けて、表示中画面のＵＲＬにアクセスする。のように、携帯端末６００は、第２認証情報に基づいて、表示中画面のＵＲＬを、ＭＦＰ１００に対して要求する。
【０１２０】
Ｓ５２は、制御装置１１０の判断部１１６は、Ｓ５０により送信された情報から、第２認証情報と通信ＩＤとを取得する。判断部１１６は、第２認証情報と、通信ＩＤとの双方が正しいか否かを判断する。Ｓ５４において、判断部１１６は、第２認証情報と、通信ＩＤとの双方が正しいか否かを判断する。Ｓ５４において、ＮＯと判断された場合には、エラー処理を実行する。エラー処理とは、たとえば、携帯端末に、エラー表示を実行させる処理である。一方、Ｓ５４において、ＹＥＳと判断された場合には、携帯端末６００によるＩＷＳサーバへの接続を許可する。Ｓ５４においては、さらに、制御装置１１０は、該許可された旨を示す許可信号をＩＷＳ１２０に対して送信する。また、制御装置１１０は、許可信号を携帯端末６００に対して送信する。携帯端末６００は、許可信号を受信すると該携帯端末６００とＩＷＳ１２０との通信が許可された旨を表示する。
【０１２１】
Ｓ６０において、ＩＷＳ１２０は、許可信号を受信する。ＩＷＳ１２０は、許可信号を受信した場合において、第１認証情報が存在する場合には、Ｓ６２に進む。Ｓ６２においては、第１認証情報とアプリ要求情報とを外部装置５００に対して送信する。ここで、Ｓ６２の処理が実行されるということは、実行中のアプリが、外部使用アプリということである。したがって、Ｓ６２においては、該外部使用アプリで機能が使用される外部装置５００に対して、第１認証情報とアプリ要求情報とが送信される。Ｓ６４において、外部装置５００は、第１認証情報とアプリ要求情報とを受信する。
【０１２２】
次に、Ｓ６６において、第１認証情報が正しいか否かを判断する。外部装置５００は、Ｓ６４で受信したアプリ要求情報に含まれるユーザＩＤを取得する。外部装置５００は、記憶部５２６に記憶されている第１認証情報のうち該取得したユーザＩＤに対応する第１認証情報と、Ｓ６４で受信した第１認証情報とが同一であるか否かを判断する。外部装置５００が、ユーザＩＤに対応する第１認証情報と、Ｓ６４で受信した第１認証情報とが同一であると判断することにより、第１認証情報は正しいと判断する。一方、外部装置５００が、ユーザＩＤに対応する第１認証情報と、Ｓ６４で受信した第１認証情報とが同一ではないと判断することにより、第１認証情報は正しくないと判断する。外部装置５００が、Ｓ６４で第１認証情報は正しくないと判断した場合には（Ｓ６６でＮＯ）、エラー処理を実行する。エラー処理とは、たとえば、ＭＦＰ１００経由で、携帯端末６００にエラー信号を送信する処理である。携帯端末６００は、該エラー信号を受信すると、携帯端末６００は、パネル１０５にエラー表示を行なう。
【０１２３】
また、外部装置５００が、Ｓ６６において第１認証情報は正しいと判断した場合には（Ｓ６６のＹＥＳ）、Ｓ６８において、ＩＷＳ１２０に対してアプリ情報を送信する。ここで、アプリ情報とは、Ｓ６４で送信されたアプリ要求情報で要求されている外部使用アプリに関する情報であり、画面データなどを含む。Ｓ７０において、ＩＷＳ１２０は、アプリ情報を携帯端末６００に対して送信する。Ｓ７２において、携帯端末６００の制御部６０８は、受信したアプリ情報に基づいた画面を表示部６０６に表示する。携帯端末６００は、該画面を表示すると、Ｓ７４において、画面の表示が完了したことを示すアプリ画面表示完了信号をＩＷＳ１２０に対して送信する。
【０１２４】
また、Ｓ５０〜Ｓ７６の処理は、ユーザＵ１が携帯端末６００において、表示させる画面を更新させる度に実行される。
【０１２５】
図１７は、携帯端末６００が、ＭＦＰ１００により中断された処理を実行している場合（たとえば、ＭＦＰ１００の操作画面を表示している場合）のシーケンス図を示したものである。ここで、該処理とは、外部未使用処理と、外部使用処理とを含む。Ｓ１０４において、携帯端末６００は、認証装置３００の読取面にかざされたか否かが判断される。また、１０４によりＮＯと判断された場合には、処理を終了させる。Ｓ１０４によりＹＥＳと判断された場合には、Ｓ１０６において、携帯端末６００は、終了指令信号を生成し、該終了指令信号をＭＦＰ１００に対して送信する。終了指令信号は、携帯端末６００での表示の処理が終了したことを示す信号であるとともに、該終了指令信号が生成された時点での処理の内容（たとえば、携帯端末６００で表示されていた画面のＵＲＬ）を含む信号である。次に、Ｓ１０７において、携帯端末６００は、実行していた処理を終了させる。また、ＭＦＰ１００は、Ｓ１０８において、終了指令信号を受信すると、ＭＦＰ１００は、該終了指令信号に応じた処理を実行する（中断された処理の実行を復帰する）。たとえば、ＭＦＰ１００は、該終了指令信号を受信した場合には、該終了指令信号に含まれるＵＲＬに対応した画面を表示する。これにより、画像処理システムは、図３に示すように、画面５０８→画面２０８→画面２０９参照の流れを形成できる。
【０１２６】
［本実施形態により奏する効果］
（１）  次に、本実施形態の画像処理システムにより奏する効果について説明する。ＭＦＰ１００の認証部１１４は、第２認証処理としてユーザ認証を実行可能である。また、ＭＦＰ１００の処理実行部１２４は、ユーザからの入力に応じて、外部使用処理と外部未使用処理とを実行可能である。また、処理実行部１２４が外部未使用処理を実行する場合には、第１認証処理（Ｓ１０〜Ｓ１４）として、外部装置５００は、ＭＦＰ１００を認証する。ここで、Ｓ１６において、該第１認証処理が成功した場合には、該第１認証処理が成功したことを示す第１認証情報が記憶部１２２に記憶される（図１４のＳ１６、図６参照）。さらに、予め定められた中断条件（Ｓ２８参照）が成立した場合において、中断された処理（実行途中の処理）が外部使用処理である場合には（Ｓ３６のＹＥＳ）、第１認証処理が成功したことを示す第１認証情報と、第２認証処理が成功したことを示す第２認証情報と、通信ＩＤと、表示中の画面のＵＲＬとを、中断情報として、ユーザ認証が成功した携帯端末６００に送信する（Ｓ３８）。
【０１２７】
携帯端末６００は、第１認証情報と第２認証情報とに基づいて（第１認証情報と第２認証情報の送信と共に）、送信されたＵＲＬに対してアクセスすることにより（図１７のＳ５０）、該ＵＲＬに対応付けられた画面を表示する（図１６のＳ７０〜Ｓ７６参照）。このように、ＭＦＰ１００は、該第１認証情報と第２認証情報とに基づいて、図１０の対応ＤＢを参照することにより、ユーザＩＤを認識できる。したがって、ユーザＩＤに対応した端末ＩＤから特定される携帯端末の態様で（たとえば、該携帯端末に応じた画角で）、携帯端末６００に画面を表示させることができる。また、ＭＦＰ１００は、該第１認証情報と第２認証情報とに基づいて、図１０の対応ＤＢを参照することにより、中断情報を認識できる。したがって、ＭＦＰ１００は、該中断情報に含まれる「中断の際に設定されていた設定情報」、「中断の際に表示されていた画面のＵＲＬ」、「実行していたアプリ（外部使用アプリ、外部未使用アプリを含む）」を認識できる。よって、ＭＦＰ１００は、中断された画面（中断時の設定など）を携帯端末６００に適切に表示させることができる。
【０１２８】
また、ＭＦＰ１００は、携帯端末６００から送信された第１認証情報と第２認証情報とのうち少なくとも１つの情報が正当であるか否かを判断するようにしてもよい。このような構成によれば、正当ではない携帯端末６００からのアクセスを防止できる。
【０１２９】
仮に、第１認証情報が記憶されないシステム（以下、比較対象のシステムという。）では、中断条件が発生したときには、たとえば、携帯端末６００と外部装置５００との間で認証処理（以下、再度の認証処理という。）を行う必要があり、該携帯端末６００のユーザに煩雑さを感じさせてしまう。
【０１３０】
本実施形態の画像処理システムでは、第１認証処理が成功した場合には、該第１認証処理が成功したことを示す第１認証情報が記憶部１２２に記憶され、中断条件が発生した場合には、該記憶されていた第１認証情報を携帯端末６００に対して送信する。したがって、本実施形態では、再度の認証処理を行う必要がなく、携帯端末６００のユーザに煩雑さを感じさせないようにすることができることから、ユーザの利便性を向上させることができる。
【０１３１】
（２）  また、処理実行部１２４は、認証部１１４による携帯端末６００の認証が成功した場合に、実行していた処理を中断する（Ｓ２８、Ｓ２９）。通信ＩＦ１０８は、処理実行部１２４が実行していた処理を中断した場合に、該中断した処理を示す中断情報を送信する（Ｓ４４）。携帯端末６００は、中段情報を受信した場合に第１認証情報と第２認証情報とに基づいて、該中断情報により示される中断した処理の続きを実行する（携帯端末６００は、図３の画面５０３、５０６、５０８を表示する）。したがって、ユーザＵ１は、ユーザＵ２にＭＦＰ１００を使用させることを許可したとしても、ユーザＵ１は、該ユーザＵ１の携帯端末６００で処理の続きを実行することができる。
【０１３２】
（３）  また、図１６のＳ４８に示すように、中断情報を送信した場合には、ＭＦＰ１００は、パネル１０５の表示をリセットする（携帯端末６００の認証が成功した場合に実行していた処理を終了する）。したがって、たとえば、ユーザＵ２にＭＦＰ１００を使用させることができる。
【０１３３】
（４）  また、図１４、および図３の画面５０８、画面２０８、および画面２０９に示すように、携帯端末６００が、ＭＦＰ１００の操作画面を表示している場合において（表示している途中において）、携帯端末６００が認証装置３００にかざされることにより（Ｓ１０４のＹＥＳ）、ＭＦＰ１００は、携帯端末６００で表示されていた画面を表示する（ＭＦＰ１００が携帯端末６００が実行していた処理を実行する）。したがって、ユーザＵ２の割込処理Ｐ２が終了した場合には、ユーザＵ１はＭＦＰ１００での処理に復帰できる。
【０１３４】
（５）  本実施形態では、ＭＦＰ１００による携帯端末６００に対する認証処理（Ｓ２４に示す第３認証処理）が成功した場合には、携帯端末６００と該ＭＦＰ１００との通信を許可する。さらに、該第３認証処理により認証が成功した携帯端末６００により、ＭＦＰ１００の操作画面を表示することができる。一方、該第３認証処理が成功しなかった場合には、携帯端末６００と該ＭＦＰ１００との通信を許可しない。したがって、ＭＦＰ１００は、正当でない端末との通信を防止することができることから、安全性を高めることができる。
【０１３５】
（６）  また、図７に示すように、携帯端末６００がＭＦＰ１００の操作画面を表示している場合（たとえば、ＭＦＰ１００と携帯端末６００との通信が許可されている場合）には、解除ボタン３０８が表示される。ユーザにより、該解除ボタン３０８が操作された場合には、携帯端末６００での該操作画面の表示は終了する。これにより、携帯端末６００での処理が終了したユーザは手軽に該処理を終了させることができる。さらに、解除ボタンへの操作により、ＭＦＰ１００と携帯端末６００との間で許可されていた通信は非許可となることから、安全性を高めることができる。
【０１３６】
［変形例］
（１）  本実施形態の中断条件（図１５のＳ２８参照）は、制御装置１１０は、認証装置３００からの第３認証情報を受信することにより成立する条件であるとして説明した。しかしながら、中断条件は他の条件としてもよい。たとえば、ユーザがＭＦＰ１００に対して、外部未使用処理を実行させるために、ＭＦＰ１００のパネル１０５に、該外部未使用処理に応じた操作画面を表示させようとする。しかしながら、何らかの理由により、ＭＦＰ１００該操作画面を表示できない場合がある。中断条件は、このように、何らかの理由によりＭＦＰ１００が操作画面を表示できず、かつ認証装置３００からの第３認証情報を受信することにより成立する条件としてもよい。ここで、何らかの理由とは、たとえば、外部未使用処理に応じた操作画面に対応するバージョンと、ＭＦＰ１００のパネル１０５での表示（ブラウザ）のバージョンとが相違するとしてもよい。このような理由が生じた場合には、バージョンの相違により、ＭＦＰ１００は該操作画面を表示できない。たとえば、ユーザが、ＭＦＰ１００に外部未使用処理を実行させるために、ＭＦＰ１００が操作画面を表示しようとした場合に、バージョンの相違により該操作画面を表示できない。この場合には、ＭＦＰ１００は、エラー情報を表示する。エラー情報とは、たとえば、「バージョンが古いため、操作画面を表示できません」といった情報である。ユーザが、該情報を視認すると、該ユーザの携帯端末６００を認証装置３００の読取面にかざす。そうすると、該認証装置３００は、該携帯端末に対して第３認証処理を行い、該第３認証処理が成功すると、該携帯端末６００に、ＭＦＰ１００で表示できなかった操作画面を表示する。このような構成によれば、バージョンの相違によりＭＦＰ１００が、操作画面を表示できない場合であっても、適切に、携帯端末６００は、該操作画面を表示できる。
【０１３７】
また、何らかの理由とは、ＭＦＰ１００にエラーが発生していることにより、ＭＦＰ１００のパネル１０５が画面を表示できないとしてもよい。このような理由が発生している場合には、ＭＦＰ１００のパネル１０５は操作画面を表示できない。この場合であっても、該ユーザの携帯端末６００を認証装置３００の読取面にかざし、該認証装置３００は、該携帯端末に対して第３認証処理を行い、該第３認証処理が成功すると、該携帯端末６００に、ＭＦＰ１００で表示できなかった操作画面を表示する。したがって、エラーの発生によりＭＦＰ１００が、操作画面を表示できない場合であっても、適切に、携帯端末６００は、該操作画面を表示できる。
【０１３８】
（２）  本実施形態では、中断されるＭＦＰ１００の処理を操作画面の表示として説明した。しかし、中断されるＭＦＰ１００の処理は他の処理としてもよい。たとえば、該他の処理は、スキャン処理などにより、スキャンされた画像の画像データを所定の記憶領域（たとえば、ＲＡＭ）に記憶させる処理としてもよい。ここで、外部未使用処理としてのスキャン処理は、ＭＦＰ１００内の所定の記憶領域に該画像データを記憶する処理である。また、外部使用処理としてのスキャン処理は、外部装置５００内の所定の記憶領域に該画像データを記憶する処理である。
【０１３９】
たとえば、ユーザＵ１により多量の用紙の画像の読取処理が実行されることにより、該多量の用紙の画像がスキャンされた場合には、所定の記憶領域に、該多量の用紙の画像データが記憶される。読取処理が終了した場合であっても、画像データは多量となるため、全ての画像データを所定の記憶領域に記憶させる記憶処理が完了するまでは、ある程度の時間を要する。記憶処理が完了するとは、該全ての画像データが適切に所定の記憶領域に記憶されることをいう。また、記憶処理の実行途中には、ＭＦＰ１００のパネル１０５に記憶処理が実行されていることを示す記憶処理中画面（たとえば、「記憶中・・・」といった画面）が表示される。
【０１４０】
ここで、記憶処理の実行途中（記憶処理が完了しないうち）に、緊急性を有する処理を割込処理にて行いたいユーザＵ２が到来したとする。このような場合には、ユーザＵ１が、該ユーザＵ１の携帯端末６００を認証装置３００にかざす。これにより、認証装置３００は第３認証処理を実行し、該第３認証処理が成功した場合には、ＭＦＰ１００は、記憶処理を途中で中断するとともに、記憶処理中画面の表示も途中で中断する。その後、該ユーザＵ１の携帯端末６００に記憶処理中画面の表示を継続させるとともに、ＭＦＰ１００による記憶処理も実行させる。このような構成によれば、緊急性を有するユーザＵ２は、該ユーザＵ２が所望する処理をＭＦＰ１００に実行させることができるとともに、ユーザＵ１による記憶処理も継続させることができる。
【０１４１】
また、中断されるＭＦＰ１００の処理は他の処理は、外部装置５００から提供される画面を表示することのみで実行される処理としてもよい。該画面は、たとえば、天気予報の画面としてもよい。このように、ユーザＵ１がＭＦＰ１００のパネル１０５に天気予報の画面を表示している場合において、緊急性を有する処理を割込処理にて行いたいユーザＵ２が到来したとする。このような場合には、ユーザＵ１が、該ユーザＵ１の携帯端末６００を認証装置３００にかざす。これにより、認証装置３００は第３認証処理を実行し、該第３認証処理が成功した場合には、ＭＦＰ１００は、天気予報の画面の表示を中断する。その後、該ユーザＵ１の携帯端末６００に天気予報の画面の表示を継続させる。このような構成によれば、緊急性を有するユーザＵ２は、該ユーザＵ２が所望する処理をＭＦＰ１００に実行させることができるとともに、ユーザＵ１による記憶処理も継続させることができる。
【０１４２】
（３）  本実施形態では、図１７に示すように、ＭＦＰ１００による中断された処理を携帯端末６００が実行している途中に、該携帯端末６００が認証装置３００にかざされることにより、該携帯端末６００は実行していた処理を終了させるとともに（Ｓ１０７）、ＭＦＰ１００は、中断された処理（終了指令に応じた処理）の実行を復帰する、として説明した。しかしながら、携帯端末６００は実行していた処理を終了させるための契機は、携帯端末６００が認証装置３００にかざされるという契機に限られず、他の契機としてもよい。他の契機は、携帯端末６００が中断された処理を実行している途中に、携帯端末６００とＭＦＰ１００とのうちの少なくとも一方に対して操作が実行されるとしてもよい。たとえば、他の契機は、携帯端末６００が解除ボタン（たとえば、図７の解除ボタン３０８）を表示し、該解除ボタンへのユーザによる操作としてもよい。また、他の契機は、ＭＦＰ１００のパネル１０５に解除ボタンを表示し、該解除ボタンへのユーザによる操作としてもよい。また、他の契機は、ＭＦＰ１００と携帯端末６００との双方で、解除ボタンを表示し、双方の解除ボタンへのユーザによる操作としてもよい。
【０１４３】
（４）  本実施形態では、情報処理装置として、画像処理装置を例示した。しかしながら、情報処理装置は、画像処理を実行する装置に限られず、種々の情報を処理する装置であればば、如何なるものであってもよい。情報処理装置は、たとえば、仮想空間でのショッピングをユーザに提供する装置であってもよく、チケットなどを販売する装置であってもよい。
【０１４４】
（５）  今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１４５】
１  画像処理システム、１００  ＭＦＰ、３００  認証装置、５００  外部装置、６００  携帯端末。
【図１】
2018085690.tif 000003
【図２】
2018085690.tif 000004
【図３】
2018085690.tif 000005
【図４】
2018085690.tif 000006
【図５】
2018085690.tif 000007
【図６】
2018085690.tif 000008
【図７】
2018085690.tif 000009
【図８】
2018085690.tif 000010
【図９】
2018085690.tif 000011
【図１０】
2018085690.tif 000012
【図１１】
2018085690.tif 000013
【図１２】
2018085690.tif 000014
【図１３】
2018085690.tif 000015
【図１４】
2018085690.tif 000016
【図１５】
2018085690.tif 000017
【図１６】
2018085690.tif 000018
【図１７】
2018085690.tif 000019